(57)【要約】      （修正有）【課題】ネットワーク上のコンテンツを適切に、かつ、操作の自由度が高く印刷することができる印刷システムを提供する。【解決手段】ネットワークへ接続し、前記ネットワークを介して種々のデータをやりとりするネットワーク通信機能を備えた印刷装置と、前記ネットワークを介して前記印刷装置との間で種々のデータをやりとりするネットワーク通信機能と、前記ネットワークを介し、他の端末装置へコンテンツ情報を提供するサーバ装置と、前記ネットワークを介して前記印刷装置へ印刷要求を送信する端末装置からなる印刷システムにおいて、前記端末装置は、前記サーバ装置により提供されるコンテンツ情報の識別情報を含めて印刷要求を送信し、前記印刷装置は、前記端末装置より前記印刷要求を受信すると、その印刷要求に含まれる識別情報に基づいて、前記サーバ装置より対応するコンテンツ情報を取得し、そのコンテンツ情報の内容を記録出力する。【選択図】  図１
2006318423.tif 000002
【特許請求の範囲】
【請求項１】
印刷機能、および、ネットワークへ接続し、前記ネットワークを介して種々のデータをやりとりするネットワーク通信機能を備えた印刷装置と、
前記ネットワークへ接続し、前記ネットワークを介して前記印刷装置との間で種々のデータをやりとりするネットワーク通信機能と、前記ネットワークを介し、他の端末装置へコンテンツ情報を提供するコンテンツ提供サーバ機能を備えたサーバ装置と、
前記ネットワークへ接続し、前記ネットワークを介して前記印刷装置へ印刷要求を送信する端末装置からなる印刷システムにおいて、
前記端末装置は、前記サーバ装置により提供されるコンテンツ情報の識別情報を含めて前記印刷装置へ印刷要求を送信し、
前記印刷装置は、前記端末装置より前記印刷要求を受信すると、その印刷要求に含まれる前記コンテンツ情報の識別情報に基づいて、前記サーバ装置より対応するコンテンツ情報を取得し、そのコンテンツ情報の内容を記録出力するようにしたことを特徴とする印刷システム。
【請求項２】
前記サーバ装置は、前記コンテンツ情報を前記印刷装置へ送信する際、前記印刷装置が解釈可能なデータに変換した後に送信することを特徴とする請求項１記載の印刷システム。
【請求項３】
前記印刷装置は、所定の付加情報を蓄積した付加情報蓄積手段をさらに備え、前記コンテンツ情報の内容を記録出力する際、前記付加情報も記録出力するようにしたことを特徴とする請求項１または請求項２記載の印刷システム。
【請求項４】
前記端末装置は、現在日時情報を取得する現在日時情報取得手段をさらに備え、前記印刷要求には当該取得した現在日時情報を含めて送信し、
前記印刷装置は、受信した印刷要求に含まれる前記現在日時情報に対応した付加情報を前記付加情報蓄積手段より取り出し、前記コンテンツ情報の内容を記録出力する際、その取り出した付加情報も記録出力するようにしたことを特徴とする請求項３記載の印刷システム。
【請求項５】
前記端末装置は、現在位置情報を取得する位置情報取得手段をさらに備え、前記印刷要求には当該取得した現在位置情報を含めて送信し、
前記印刷装置は、受信した印刷要求に含まれる前記現在位置情報に対応した付加情報を前記付加情報蓄積手段より取り出し、前記コンテンツ情報の内容を記録出力する際、その取り出した付加情報も記録出力するようにしたことを特徴とする請求項３記載の印刷システム。
【請求項６】
前記端末装置は、印刷要求に関して認証動作を行う際に参照する認証情報を記憶した認証情報記憶手段をさらに備え、
印刷要求発生時、前記認証情報記憶手段に記憶した認証情報を参照して、ユーザに対して認証動作を行わせ、当該認証動作が失敗した場合には、それ以降、前記印刷要求に関するユーザ操作を禁止するようにしたことを特徴とする請求項１または請求項２または請求項３または請求項４または請求項５記載の印刷システム。
【請求項７】
前記端末装置は、印刷要求に関して認証動作を行う際に参照する認証情報を記憶した認証情報記憶手段をさらに備え、
印刷要求発生時、前記認証情報記憶手段に記憶した認証情報を参照して、ユーザに対して認証動作を行わせ、当該認証動作が所定回数失敗した場合には、印刷要求に関して記憶している情報の一部または全部を消去するようにしたことを特徴とする請求項１または請求項２または請求項３または請求項４または請求項５記載の印刷システム。
【請求項８】
前記端末装置と前記印刷装置は、所定の有線通信手段または無線通信手段により接続され、前記端末装置と前記印刷装置との間の情報のやりとりは、当該有線通信手段または無線通信手段により行われることを特徴とする請求項１または請求項２または請求項３または請求項４または請求項５または請求項６または請求項７記載の印刷システム。
【請求項９】
移動体通信機能を備えるとともに、印刷装置へ接続し、当該印刷装置へ印刷要求を送信する移動体通信端末装置において、
コンテンツ情報を提供するサーバ装置を識別するためのサーバ識別情報、および、当該サーバ装置により提供されるコンテンツ情報のコンテンツ識別情報を含めて前記印刷装置へ印刷要求を送信することを特徴とする移動体通信端末装置。
【請求項１０】
前記印刷要求時に前記印刷装置に送信する情報には、さらに、前記サーバ装置へアクセスする際のユーザ認証情報が含まれることを特徴とする請求項９記載の移動体通信端末装置。
【請求項１１】
移動体通信機能を備えるとともに、印刷装置へ接続し、当該印刷装置へ印刷要求を送信する移動体通信端末装置のプログラムにおいて、
コンテンツ情報を提供するサーバ装置を識別するためのサーバ識別情報、および、当該サーバ装置により提供されるコンテンツ情報のコンテンツ識別情報を含めて前記印刷装置へ印刷要求を送信するステップを有することを特徴とする移動体通信端末装置のプログラム。
【請求項１２】
請求項１１に記載のプログラムを格納した記憶媒体。
【発明の詳細な説明】
【技術分野】
【０００１】
本発明は、印刷機能、および、ネットワークへ接続し、前記ネットワークを介して種々のデータをやりとりするネットワーク通信機能を備えた印刷装置と、前記ネットワークへ接続し、前記ネットワークを介して前記印刷装置との間で種々のデータをやりとりするネットワーク通信機能と、前記ネットワークを介し、他の端末装置へコンテンツ情報を提供するコンテンツ提供サーバ機能を備えたサーバ装置と、前記ネットワークへ接続し、前記ネットワークを介して前記印刷装置へ印刷要求を送信する端末装置からなる印刷システムに関する。
【背景技術】
【０００２】
近年、複写機やプリンタなどの印刷装置の高機能化が進んでおり、例えば、画像形成装置がホスト装置（パーソナルコンピュータ装置等）などを介さずに、直接操作されることによってネットワーク上のコンテンツを取得して印刷するようにしたものが提案されている（特許文献１参照）。
【０００３】
また、一度ホスト装置から印刷された文書を一時的に印刷装置内に記憶し、ホスト装置を介さずに再印刷することができるようにしたものも提案されている（特許文献２参照）。
【０００４】
また、従来、ホスト装置が印刷装置を用いて印刷する場合は、ホスト装置に印刷用のソフトウェア（いわゆる、プリンタ・ドライバ等）をインストールする必要があったが、それを解決するために、Ｗｅｂサービスを提供するＷｅｂサーバ機能を備え、ホスト装置にインストールされたＷｅｂブラウザを用いて、ドライバのインストールなしに直接印刷することができる画像形成装置も提案されている（特許文献３参照）。
【特許文献１】特開平１１−１３４１２５号公報
【特許文献２】特開平１１−２３５３７２号公報
【特許文献３】特開２００４−７３４８公報
【発明の開示】
【発明が解決しようとする課題】
【０００５】
しかしながら、ホスト装置を経由せずに画像形成装置で印刷する場合には、画像形成装置の持つ貧弱な操作盤で印刷コンテンツを指定する必要があり、操作が不便であった。また、一度ホスト装置から印刷された文書を再印刷するためには、当然のことながら、一度ホスト装置から印刷をしておく必要があり、印刷の自由度に欠ける。また、Ｗｅｂサービスによるドライバレス印刷を行うためには、Ｗｅｂサービスに対応した高機能な処理機能を備える必要があり、装置価格が高くなると言う不具合を生じる。
【０００６】
本発明は、かかる実情に鑑みてなされたものであり、ネットワーク上のコンテンツを適切に、かつ、操作の自由度が高く印刷することができる印刷システムおよび移動体通信端末装置および移動体通信端末装置のプログラムおよび記憶媒体を提供すること目的とする。
【課題を解決するための手段】
【０００７】
本発明は、印刷機能、および、ネットワークへ接続し、前記ネットワークを介して種々のデータをやりとりするネットワーク通信機能を備えた印刷装置と、前記ネットワークへ接続し、前記ネットワークを介して前記印刷装置との間で種々のデータをやりとりするネットワーク通信機能と、前記ネットワークを介し、他の端末装置へコンテンツ情報を提供するコンテンツ提供サーバ機能を備えたサーバ装置と、前記ネットワークへ接続し、前記ネットワークを介して前記印刷装置へ印刷要求を送信する端末装置からなる印刷システムにおいて、前記端末装置は、前記サーバ装置により提供されるコンテンツ情報の識別情報を含めて前記印刷装置へ印刷要求を送信し、前記印刷装置は、前記端末装置より前記印刷要求を受信すると、その印刷要求に含まれる前記コンテンツ情報の識別情報に基づいて、前記サーバ装置より対応するコンテンツ情報を取得し、そのコンテンツ情報の内容を記録出力するようにしたものである。
【０００８】
また、前記サーバ装置は、前記コンテンツ情報を前記印刷装置へ送信する際、前記印刷装置が解釈可能なデータに変換した後に送信するようにしたものである。
【０００９】
また、前記印刷装置は、所定の付加情報を蓄積した付加情報蓄積手段をさらに備え、前記コンテンツ情報の内容を記録出力する際、前記付加情報も記録出力するようにしたものである。
【００１０】
また、前記端末装置は、現在日時情報を取得する現在日時情報取得手段をさらに備え、前記印刷要求には当該取得した現在日時情報を含めて送信し、前記印刷装置は、受信した印刷要求に含まれる前記現在日時情報に対応した付加情報を前記付加情報蓄積手段より取り出し、前記コンテンツ情報の内容を記録出力する際、その取り出した付加情報も記録出力するようにしたものである。
【００１１】
また、前記端末装置は、現在位置情報を取得する位置情報取得手段をさらに備え、前記印刷要求には当該取得した現在位置情報を含めて送信し、前記印刷装置は、受信した印刷要求に含まれる前記現在位置情報に対応した付加情報を前記付加情報蓄積手段より取り出し、前記コンテンツ情報の内容を記録出力する際、その取り出した付加情報も記録出力するようにしたものである。
【００１２】
また、前記端末装置は、印刷要求に関して認証動作を行う際に参照する認証情報を記憶した認証情報記憶手段をさらに備え、印刷要求発生時、前記認証情報記憶手段に記憶した認証情報を参照して、ユーザに対して認証動作を行わせ、当該認証動作が失敗した場合には、それ以降、前記印刷要求に関するユーザ操作を禁止するようにしたものである。
【００１３】
また、前記端末装置は、印刷要求に関して認証動作を行う際に参照する認証情報を記憶した認証情報記憶手段をさらに備え、印刷要求発生時、前記認証情報記憶手段に記憶した認証情報を参照して、ユーザに対して認証動作を行わせ、当該認証動作が所定回数失敗した場合には、印刷要求に関して記憶している情報の一部または全部を消去するようにしたものである。
【００１４】
また、前記端末装置と前記印刷装置は、所定の有線通信手段または無線通信手段により接続され、前記端末装置と前記印刷装置との間の情報のやりとりは、当該有線通信手段または無線通信手段により行われるものである。
【００１５】
また、移動体通信機能を備えるとともに、印刷装置へ接続し、当該印刷装置へ印刷要求を送信する移動体通信端末装置において、コンテンツ情報を提供するサーバ装置を識別するためのサーバ識別情報、および、当該サーバ装置により提供されるコンテンツ情報のコンテンツ識別情報を含めて前記印刷装置へ印刷要求を送信するようにしたものである。また、前記印刷要求時に前記印刷装置に送信する情報には、さらに、前記サーバ装置へアクセスする際のユーザ認証情報が含まれる。
【００１６】
また、移動体通信機能を備えるとともに、印刷装置へ接続し、当該印刷装置へ印刷要求を送信する移動体通信端末装置のプログラムにおいて、コンテンツ情報を提供するサーバ装置を識別するためのサーバ識別情報、および、当該サーバ装置により提供されるコンテンツ情報のコンテンツ識別情報を含めて前記印刷装置へ印刷要求を送信するステップを有するものである。
【００１７】
また、請求項１１に記載のプログラムを格納した記憶媒体である。
【発明の効果】
【００１８】
したがって、本発明によれば、普段使って操作に慣れている携帯端末等の端末装置からネットワーク上にあるサーバ装置内のコンテンツを簡便に印刷することができるという効果を得る。
【００１９】
また、複雑な処理は端末装置では行わないため、たとえば携帯電話端末のような比較的処理能力の低い端末装置でも、十分実用的な操作性を維持できるという効果も得る。
【発明を実施するための最良の形態】
【００２０】
以下、添付図面を参照しながら、本発明の実施の形態を詳細に説明する。
【００２１】
図１は、本発明の一実施例にかかる印刷システムを示している。
【００２２】
同図において、この印刷システムは、端末装置としての携帯電話端末ＴＭ、ネットワーク印刷機能を備えた印刷装置ＰＴ、および、コンテンツ提供バービス機能等を備えたサーバ装置ＳＣから構成されており、印刷装置ＰＴとサーバ装置ＳＣは、インターネットＮＴへ接続されている。また、携帯電話端末ＴＭは、当該携帯電話端末ＴＭが収容される移動体通信網ＭＴの網間接続機能により、インターネットＮＴへ接続される。なお、携帯電話端末ＴＭは、基地局ＢＳを介して、移動体通信網ＭＴへ接続される。
【００２３】
したがって、携帯電話端末ＴＭ、印刷装置ＰＴ、および、サーバ装置ＳＣは、インターネットＮＴを介して、適宜に情報をやりとりすることができる。
【００２４】
なお、プレビュー作成サーバ装置ＳＰは、後述するように、携帯電話端末ＴＭでコンテンツを表示させる際に必要となるプレビュー画像を作成する機能を備えたものであり、このプレビュー画像作成機能をサーバ装置ＳＣが備えていない場合に限って設けられるものである。
【００２５】
図２は、携帯電話端末ＴＭの構成の一例を示している。
【００２６】
同図において、システム制御部１は、この携帯電話端末ＴＭの動作を制御するものであり、キー入力部２は、ユーザが電話番号等の種々の情報を操作入力するためのものであり、表示部３は、種々の情報を表示するためのものであり、例えば、液晶表示装置などから構成される。
【００２７】
時計回路４は、現在日時情報を出力するものであり、メモリ５は、この携帯電話端末ＴＭに固有な種々の情報を記憶するためのものである。
【００２８】
無線通信部６は、アンテナ７を介して、基地局ＢＳとの間で通話情報等をやりとりするためのものであり、通信制御部８は、所定の通信制御動作を行って、通話またはデータ通信を行うためのものである。
【００２９】
マイク９は、通話時にユーザの発語を音声信号に変換するものであり、スピーカ１０は、受信通話信号を音響信号へ変換出力するためのものであり、通話回路１１は、マイク９から入力された音声信号を通信制御部８へ出力するとともに、通信制御部８が出力する受信通話信号をスピーカ１０へ出力するためのものである。
【００３０】
図３は、印刷装置ＰＴの構成例を示している。
【００３１】
同図において、システム制御部２１は、この印刷装置ＰＴの各部の制御処理、および、印刷制御処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、この印刷装置ＰＴに固有な各種の情報を記憶するためのものであり、時計回路２４は、現在時刻情報を出力するものである。
【００３２】
カラースキャナ２５は、所定の解像度で原稿画像をフルカラーで読み取るためのものであり、プロッタ２６は、所定の解像度で画像をフルカラーで記録出力するためのものであり、操作表示部２７は、この印刷装置ＰＴを操作するためのもので、各種の操作キー、および、各種の表示器からなる。
【００３３】
画像処理部２８は、印刷対象となる画像データ等に対して、種々の画像処理（例えば、解像度変換処理、変倍処理、特定アプリケーションデータを画像データへ変換する処理等）を行うためのものであり、磁気ディスク装置２９は、システム制御部２１が実行するアプリケーションプログラム等を保存するためのものである。
【００３４】
ネットワークインターフェース回路３１は、この印刷装置ＰＴをインターネットＮＴに接続するためのものであり、ネットワーク伝送制御部３２は、インターネットＮＴを介して、他のデータ端末装置との間で種々のデータをやりとりするための各種所定のプロトコルスイートの通信制御処理を実行するためのものである。
【００３５】
これらの、システム制御部２１、システムメモリ２２、パラメータメモリ２３、時計回路２４、カラースキャナ２５、カラープロッタ２６、操作表示部２７、画像処理部２８、磁気ディスク装置２９、および、ネットワーク伝送制御部３２は、内部バス３３に接続されており、これらの各要素間でのデータのやりとりは、主としてこの内部バス３３を介して行われている。
【００３６】
ここで、本実施例において、基本的には、インターネットＮＴに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。また、Ｗｅｂサービス通信については、ＨＴＴＰ（ＨｙｐｅｒＴｅｘｔ  Ｔｒａｎｓｆｅｒ  Ｐｒｏｔｏｃｏｌ）が適用される。
【００３７】
ここで、印刷処理に関し、携帯電話端末ＴＭは、図４に示したような種々の情報を保存する。
【００３８】
まず、印刷関連情報としては、同図（ａ）に示すように、印刷システムに登録される自端末の識別情報をあらわす端末識別情報、コンテンツ印刷の際の認証に参照されるユーザ認証情報、コンテンツ印刷の際に受信したコンテンツのプレビュー画像の履歴を保存するためのプレビュー画像履歴テーブル、および、受信したプレビュー画像を受信順に保存したプレビュー画像データ＃１〜＃ｍが記憶される。
【００３９】
また、ユーザ認証情報は、同図（ｂ）に示すように、ユーザに付与されたユーザＩＤ、ユーザ認証のための登録されたパスワード、および、ユーザ認証に失敗した際に印刷関連情報の消去を行うか否かを制御するための消去してい情報からなる。
【００４０】
また、消去指定情報は、同図（ｃ）に示すように、消去する際にはセットされ、消去しない際にはリセットされる消去指定フラグ、および、消去する内容を指定する消去カテゴリ（一部／全部）からなる。なお、消去カテゴリの値が「一部」に設定されている場合には、プレビュー画像履歴テーブルおよびプレビュー画像データが消去される。また、消去カテゴリの値が「全部」に設定されている場合には、印刷関連情報の内容の全てが消去される。
【００４１】
また、プレビュー画像履歴テーブルは、同図（ｄ）に示すように、複数のプレビュー画像参照情報かなる。また、プレビュー画像参照情報は、同図（ｅ）に示すように、プレビュー画像を作成した元の情報のありかをあらわすＵＲＩ（Ｕｎｉｆｏｒｍ  Ｒｅｓｏｕｒｃｅ  Ｉｄｅｎｔｉｆｉｅｒｓ；ＲＦＣ２３９６等を参照）と、対応するプレビュー画像データを指定するためのプレビュー画像データ番号からなる。
【００４２】
また、プレビュー画像データは、同図（ｆ）に示すように、プレビュー画像参照情報に基づいてプレビュー画像を指定できるようにするためのプレビュー画像データ番号と、プレビュー画像データそのものであるプレビュー画像データ本体からなる。
【００４３】
図５は、携帯電話端末ＴＭの処理の一例を示している。
【００４４】
この場合、まず、携帯電話端末ＴＭのユーザは、携帯電話端末ＴＭに搭載されたＷｅｂブラウザを用いてサーバ装置ＳＣにあるコンテンツの一覧を表示させ（処理１０１）、所望のコンテンツを選択して、印刷する旨を指示する（処理１０２）。
【００４５】
このように印刷指示が操作されると、携帯電話端末ＴＭは、所定の認証画面を表示して、ユーザに対して、ユーザＩＤおよびパスワードの入力を求める（処理１０３）。これに応答して、ユーザがユーザＩＤおよびパスワードの入力を行うと（判断１０４の結果がＹＥＳ）、入力されたユーザＩＤおよびパスワードの値が、図４（ｂ）のユーザ認証情報に登録されている値と一致するかどうかを検査し（処理１０５）、その検査結果がＯＫであるかどうかを調べる（判断１０６）。
【００４６】
判断１０６の結果がＹＥＳになるときには、サーバ装置ＳＣを指定するためのサーバＵＲＩ、および、印刷が指示されたコンテンツを指定するためのコンテンツＵＲＩを指定した状態で、印刷処理を起動する。
【００４７】
また、判断１０６の結果がＮＯになるときには、認証動作が所定回数（例えば、３回）失敗したかどうかを調べ（判断１０８）、判断１０８の結果がＮＯになるときには、処理１０３へ戻り、再度、ユーザにユーザＩＤおよびパスワードの入力を求める。
【００４８】
また、認証動作が所定回数失敗した場合で、判断１０８の結果がＹＥＳになるときには、認証が失敗した旨を表示部３に表示する（処理１０９）。そして、図４（ｃ）の消去してい情報の消去指定フラグがセットされているかどかを調べ（判断１１０）、判断１１０の結果がＹＥＳになるときには、消去指定情報の消去カテゴリの値に従って、印刷関連情報の内容を消去する（処理１１１）。また、判断１１０の結果がＮＯになるときには、処理１１１を実行しない。
【００４９】
図６は、印刷処理の一例を示している。
【００５０】
印刷処理では、起動時に指定されたサーバＵＲＩおよびコンテンツＵＲＩを取得し（処理２０１）、所定の印刷画面を表示する（処理２０２）。ここで、ユーザがプレビューの表示を要求するか、または、印刷を指示するか待つ（判断２０３，２０４のＮＯループ）。
【００５１】
ユーザが印刷を指示した場合で、判断２０４の結果がＹＥＳになるときには、コンテンツＵＲＩを指定した状態で、印刷装置ＰＴに対して、印刷要求を送信する（処理２０５）。
【００５２】
また、ユーザがプレビュー表示要求を指示した場合で、判断２０３の結果がＹＥＳになるときには、コンテンツＵＲＩがプレビュー画像履歴テーブルに登録されているかどうかを調べる（処理２０６）。
【００５３】
登録済みでない場合は（判断２０７の結果がＮＯ）、認証情報を取得して（処理２０８）、サーバＵＲＩで指定されたサーバ装置ＳＣへ認証情報を用いて接続する（処理２０９）。
【００５４】
次に、接続したサーバ装置ＳＣに対して、コンテンツＵＲＩを指定してプレビュー画像ファイルの取得を要求する（処理２１０）。
【００５５】
サーバ装置ＳＣよりプレビュー画像を受信すると（処理２１１）、受信したプレビュー画像について、プレビュー画像データを保存するとともに、プレビュー画像履歴テーブルを更新する（処理２１２）。
【００５６】
そして、プレビュー画像データを表示して（処理２１３）、ユーザが印刷指示するまで待つ（判断２１４のＮＯループ）。ユーザが印刷指示した場合で、判断２１４の結果がＹＥＳになると、処理２０５へ移行し、印刷装置ＰＴに対して、印刷要求を送信する。
【００５７】
また、指定されたコンテンツＵＲＩが、プレビュー画像履歴テーブルに登録されている場合で、判断２０７の結果がＹＥＳになるときには、プレビュー画像履歴テーブルの内容に従って、プレビュー画像データを読み出し（処理２１５）、処理２１３へ移行し、それ以降の処理を行う。
【００５８】
図７は、サーバ装置ＳＣの処理の一例を示している。
【００５９】
いずれかの端末より接続要求があると（判断３０１の結果がＹＥＳ）、受信した認証情報に従って、所定の認証動作を行う（処理３０２）。認証の結果がＯＫであれば（判断３０３の結果がＹＥＳ）、コンテンツＵＲＩを受信する（処理３０４）。
【００６０】
ここで、受信したコンテンツＵＲＩのコンテンツを保存しているかどうかを調べ（判断３０５）、判断３０５の結果がＹＥＳになるときには、指定されたコンテンツを読み出す（処理３０６）。
【００６１】
次に、プレビューが指示されているかどうかを調べる（判断３０７）。このときのセッションが携帯電話端末ＴＭによる場合には、プレビューが指定される。また、このときのセッションが印刷装置ＰＴによる場合には、プレビューは指定されない。
【００６２】
判断３０７の結果がＮＯになるときには、読み出したコンテンツデータを要求元へ送信して（処理３０８）、このときの動作を終了する。
【００６３】
また、判断３０７の結果がＹＥＳになるときには、プレビューサーバ（プレビュー作成サーバ装置ＳＰ）が設定されているかどうかを調べる（判断３０９）。判断３０９の結果がＹＥＳになるときには、プレビュー作成サーバ装置ＳＰへ接続し（処理３１０）、コンテンツデータを送信して、プレビュー画像の作成を依頼する（処理３１１）。
【００６４】
そして、プレビュー作成サーバ装置ＳＰよりプレビュー画像を受信すると（処理３１２）、その受信したプレビュー画像データを、要求元へ送信して（処理３１３）、このときの動作を終了する。
【００６５】
また、プレビュー作成サーバ装置ＳＰが設定されていない場合で、判断３０９の結果がＮＯになるときには、コンテンツデータに対応したプレビュー画像データを作成し（処理３１４）、処理３１３へ移行し、作成したプレビューデータを要求元へ送信し、このときの動作を終了する。
【００６６】
また、認証結果がＮＧの場合で、判断３０３の結果がＮＯになるとき、および、受信したコンテンツＵＲＩに対応したコンテンツを保持していない場合で、判断３０５の結果がＮＯになるときには、要求元へそれぞれのエラー種別に対応したエラーを応答し（処理３１５）、このときの動作をエラー終了する。
【００６７】
図８は、印刷装置ＰＴの処理の一例を示している。
【００６８】
いずれかの端末より、印刷要求を受信すると（判断４０１の結果がＹＥＳ）、印刷指示情報を受信する（処理４０２）。次いで、指定されたサーバＵＲＩとコンテンツＵＲＩを用いて、サーバ装置ＳＣより指定されたコンテンツデータを受信し（処理４０４）、その受信したコンテンツデータに対応した印刷物を作成して記録出力する（処理４０４）。
【００６９】
また、本実施例の場合、サーバ装置ＳＣは、コンテンツデータを送信する際、印刷装置ＰＴが処理可能なデータに変換して送信する。例えば、印刷装置ＰＴが特定のＰＤＬを処理可能な場合には、コンテンツの表示データを当該ＰＤＬに変換したデータを送信する。
【００７０】
また、プレビュー画像は、例えば、指定されたコンテンツデータが特定のアプリケーションで作成されたものである場合、当該コンテンツデータの表示データを作成し、その表示データを携帯電話端末ＴＭの画面サイズに縮小し、携帯電話端末ＴＭが処理可能な画像データフォーマットに変換して作成される。
【００７１】
これにより、携帯電話端末ＴＭは、受信したプレビュー画像データの表示画像を適切に表示部３に表示することができる。
【００７２】
図９は、携帯電話端末ＴＭが行う印刷処理の他の例を示している。
【００７３】
印刷処理では、起動時に指定されたサーバＵＲＩおよびコンテンツＵＲＩを取得し（処理５０１）、所定の印刷画面を表示する（処理５０２）。ここで、ユーザがプレビューの表示を要求するか、または、印刷を指示するか待つ（判断５０３，５０４のＮＯループ）。
【００７４】
ユーザが印刷を指示した場合で、判断５０４の結果がＹＥＳになるときには、現在日時情報および位置情報を取得し（処理５０５）、コンテンツＵＲＩ、現在時日情報、および、位置情報を指定した状態で、印刷装置ＰＴに対して、印刷要求を送信する（処理５０６）。
【００７５】
また、ユーザがプレビュー表示要求を指示した場合で、判断５０３の結果がＹＥＳになるときには、コンテンツＵＲＩがプレビュー画像履歴テーブルに登録されているかどうかを調べる（処理５０７）。
【００７６】
登録済みでない場合は（判断５０８の結果がＮＯ）、認証情報を取得して（処理５０９）、サーバＵＲＩで指定されたサーバ装置ＳＣへ認証情報を用いて接続する（処理５１０）。
【００７７】
次に、接続したサーバ装置ＳＣに対して、コンテンツＵＲＩを指定してプレビュー画像ファイルの取得を要求する（処理５１１）。
【００７８】
サーバ装置ＳＣよりプレビュー画像を受信すると（処理５１２）、受信したプレビュー画像について、プレビュー画像データを保存するとともに、プレビュー画像履歴テーブルを更新する（処理５１３）。
【００７９】
そして、プレビュー画像データを表示して（処理５１４）、ユーザが印刷指示するまで待つ（判断５１５のＮＯループ）。ユーザが印刷指示した場合で、判断５１５の結果がＹＥＳになると、処理５０５へ移行し、印刷装置ＰＴに対して、印刷要求を送信する。
【００８０】
また、指定されたコンテンツＵＲＩが、プレビュー画像履歴テーブルに登録されている場合で、判断５０８の結果がＹＥＳになるときには、プレビュー画像履歴テーブルの内容に従って、プレビュー画像データを読み出し（処理５１６）、処理５１４へ移行し、それ以降の処理を行う。
【００８１】
図１０は、サーバ装置ＳＣの処理の他の例を示している。この場合、サーバ装置ＳＣは、各地域の契約店舗等の広告情報やそれらの店舗からのお知らせ情報などを付加情報として蓄積管理しており、印刷要求された場合、それらの付加情報をコンテンツに付加するようにしている。
【００８２】
いずれかの端末より接続要求があると（判断６０１の結果がＹＥＳ）、受信した認証情報に従って、所定の認証動作を行う（処理６０２）。認証の結果がＯＫであれば（判断６０３の結果がＹＥＳ）、コンテンツＵＲＩを受信する（処理６０４）。
【００８３】
ここで、受信したコンテンツＵＲＩのコンテンツを保存しているかどうかを調べ（判断６０５）、判断６０５の結果がＹＥＳになるときには、指定されたコンテンツを読み出す（処理６０６）。
【００８４】
次に、プレビューが指示されているかどうかを調べる（判断６０７）。このときのセッションが携帯電話端末ＴＭによる場合には、プレビューが指定される。また、このときのセッションが印刷装置ＰＴによる場合には、プレビューは指定されない。
【００８５】
判断６０７の結果がＮＯになるときには、受信した日時情報の表示情報をコンテンツに付加し（処理６０８）、受信した位置情報に対応した付加情報を検索する（処理６０９）。検索の結果、付加情報が見つかった場合には（判断６１０の結果がＹＥＳ）、その付加情報をさらにコンテンツに付加する（処理６１１）。また、判断６１０の結果がＮＯになるときには、処理６１１を行わない。
【００８６】
そして、付加情報が付加されたコンテンツデータを要求元へ送信して（処理６１２）、このときの動作を終了する。
【００８７】
また、判断６０７の結果がＹＥＳになるときには、プレビューサーバ（プレビュー作成サーバ装置ＳＰ）が設定されているかどうかを調べる（判断６１３）。判断６１３の結果がＹＥＳになるときには、プレビュー作成サーバ装置ＳＰへ接続し（処理６１４）、コンテンツデータを送信して、プレビュー画像の作成を依頼する（処理６１５）。
【００８８】
そして、プレビュー作成サーバ装置ＳＰよりプレビュー画像を受信すると（処理６１６）、その受信したプレビュー画像データを、要求元へ送信して（処理６１７）、このときの動作を終了する。
【００８９】
また、プレビュー作成サーバ装置ＳＰが設定されていない場合で、判断６１３の結果がＮＯになるときには、コンテンツデータに対応したプレビュー画像データを作成し（処理６１８）、処理６１７へ移行し、作成したプレビューデータを要求元へ送信し、このときの動作を終了する。
【００９０】
また、認証結果がＮＧの場合で、判断６０３の結果がＮＯになるとき、および、受信したコンテンツＵＲＩに対応したコンテンツを保持していない場合で、判断６０５の結果がＮＯになるときには、要求元へそれぞれのエラー種別に対応したエラーを応答し（処理６１９）、このときの動作をエラー終了する。
【００９１】
ところで、上述した実施例では、付加情報をサーバ装置ＳＣが蓄積して、コンテンツデータに付加情報を付加するようにしているが、印刷装置ＰＴが付加情報を備え、サーバ装置ＳＣより受信したコンテンツデータに付加情報を付加するようにすることもできる。
【００９２】
また、付加情報としては、時刻に応じて変化するようなものであっても良い。例えば、店舗からタイムサービスまたは期間限定サービスのお知らせなどを付加したい場合に、都合がよい。
【００９３】
また、携帯電話端末ＴＭが位置情報を知る手段としては、例えば、基地局ＢＳから自分の位置情報を取得したり、あるいは、図示しないＧＰＳ受信機を備え、受信した位置座標データを住所情報などの座標情報に変換することで、取得することができる。また、ＧＰＳ受信機から受信した位置座標データの変換は、サーバ装置ＳＣに分担させるようにしても良いし、当該データ変換用のサーバ装置を別途設けるようにしても良い。
【００９４】
ところで、携帯電話端末ＴＭで蓄積しているプレビュー画像データは、比較的データ量が多いので、多数記憶するためには、携帯電話端末ＴＭに備える記憶容量を膨大にする必要がある。
【００９５】
そこで、プレビュー画像データの保存有効期間を設定し、プレビュー画像データには保存した日時を登録する。そして、保存有効期間を経過したプレビュー画像データについては、順次削除するようにすることで、プレビュー画像データを蓄積するための容量を削減することができる。
【００９６】
また、上述した実施例では、携帯電話端末ＴＭで印刷要求時に指定するコンテンツを１つとしているが、複数のコンテンツを指定させるようにすることもできる。その場合、複数コンテンツを１つに合成したものを、要求されたコンテンツとして取り扱い、プレビュー画像データおよび印刷データを作成する。
【００９７】
また、上述した実施例では、コンテンツＵＲＩを指定するアプリケーションをＷｅｂブラウザとして説明したが、それ以外の適宜なアプリケーション、例えば、電子メールクライアントソフトなどを適用することができる。その場合、例えば、受信した電子メールの本文にコンテンツＵＲＩが含まれており、そのコンテンツＵＲＩを指定して、印刷を指示するなどの操作により、同様の処理を起動することができる。
【００９８】
ところで、上述した実施例では、端末装置として携帯電話端末ＴＭを用いた場合について説明したが、この端末装置は、例えば、図１１に示すように、インターネットＮＴに接続できる無線アクセスポイントＡＰへアクセスする機能を備えた端末装置ＴＴを適用することができる。
【００９９】
また、図１２に示すように、印刷装置ＰＴ’に有線通信手段あるいは無線通信手段で直接接続可能な端末装置ＴＴ’を適用することもできる。
【０１００】
ここで、無線通信手段としては、赤外線通信手段、いわゆるＢｌｕｅｔｏｏｔｈ通信手段、ＲＦ−ＩＤ通信手段などを適用することができる。ＲＦ−ＩＤ通信手段を用いる場合、端末装置ＴＴ’にＩＣタグとＩＣタグライタを備え、印刷装置ＰＴ’にＩＣタグリーダを備える。そして、端末装置ＴＴ’では、ＩＣタグライタによりＩＣタグに印刷時に必要な情報を書き込み、印刷装置ＰＴ’に読み取らせるようにする。
【０１０１】
図１３は、本発明の別な実施例にかかる印刷システムを示している。なお、同図において、図１と同一部分および相当する部分には、同一符号を付している。
【０１０２】
同図において、この印刷システムは、移動体通信端末装置としての携帯電話端末ＴＭａ、ネットワーク印刷機能を備えた印刷装置ＰＴａ、および、コンテンツ提供バービス機能等を備えたサーバ装置ＳＣから構成されており、印刷装置ＰＴａとサーバ装置ＳＣは、インターネットＮＴへ接続されている。また、携帯電話端末ＴＭａは、当該携帯電話端末ＴＭａが収容される移動体通信網ＭＴの網間接続機能により、インターネットＮＴへ接続される。なお、携帯電話端末ＴＭａは、基地局ＢＳを介して、移動体通信網ＭＴへ接続される。また、携帯電話端末ＴＭａと印刷装置ＰＴａは、赤外線通信により相互通信が可能である。
【０１０３】
したがって、携帯電話端末ＴＭａ、印刷装置ＰＴａ、および、サーバ装置ＳＣは、インターネットＮＴを介して、適宜に情報をやりとりすることができる。また、携帯電話端末ＴＭａは、印刷装置ＰＴａに対して、赤外線通信により情報を送信することができる。
【０１０４】
図１４は、携帯電話端末ＴＭａの構成の一例を示している。なお、同図において、図２と同一部分および相当する部分には、同一符号を付している。
【０１０５】
同図において、システム制御部１は、この携帯電話端末ＴＭａの動作を制御するものであり、キー入力部２は、ユーザが電話番号等の種々の情報を操作入力するためのものであり、表示部３は、種々の情報を表示するためのものであり、例えば、液晶表示装置などから構成される。
【０１０６】
時計回路４は、現在日時情報を出力するものであり、メモリ５は、この携帯電話端末ＴＭａに固有な種々の情報を記憶するためのものである。
【０１０７】
無線通信部６は、アンテナ７を介して、基地局ＢＳとの間で通話情報等をやりとりするためのものであり、通信制御部８は、所定の通信制御動作を行って、通話またはデータ通信を行うためのものである。
【０１０８】
マイク９は、通話時にユーザの発語を音声信号に変換するものであり、スピーカ１０は、受信通話信号を音響信号へ変換出力するためのものであり、通話回路１１は、マイク９から入力された音声信号を通信制御部８へ出力するとともに、通信制御部８が出力する受信通話信号をスピーカ１０へ出力するためのものである。
【０１０９】
赤外線通信部１２は、外部装置（例えば、印刷装置ＰＴａ）へ接続し、外部装置との間で種々の情報をやりとりするためのものである。
【０１１０】
図１５は、印刷装置ＰＴａの構成例を示している。なお、同図において、図３と同一部分および相当する部分には、同一符号を付している。
【０１１１】
同図において、システム制御部２１は、この印刷装置ＰＴａの各部の制御処理、および、印刷制御処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、この印刷装置ＰＴａに固有な各種の情報を記憶するためのものであり、時計回路２４は、現在時刻情報を出力するものである。
【０１１２】
カラースキャナ２５は、所定の解像度で原稿画像をフルカラーで読み取るためのものであり、プロッタ２６は、所定の解像度で画像をフルカラーで記録出力するためのものであり、操作表示部２７は、この印刷装置ＰＴａを操作するためのもので、各種の操作キー、および、各種の表示器からなる。
【０１１３】
画像処理部２８は、印刷対象となる画像データ等に対して、種々の画像処理（例えば、解像度変換処理、変倍処理、特定アプリケーションデータを画像データへ変換する処理等）を行うためのものであり、磁気ディスク装置２９は、システム制御部２１が実行するアプリケーションプログラム等を保存するためのものである。
【０１１４】
ネットワークインターフェース回路３１は、この印刷装置ＰＴをインターネットＮＴに接続するためのものであり、ネットワーク伝送制御部３２は、インターネットＮＴを介して、他のデータ端末装置との間で種々のデータをやりとりするための各種所定のプロトコルスイートの通信制御処理を実行するためのものである。
【０１１５】
赤外線通信部３４は、外部装置（例えば、携帯電話端末ＴＭａ）へ接続し、外部装置との間で種々の情報をやりとりするためのものである。
【０１１６】
これらの、システム制御部２１、システムメモリ２２、パラメータメモリ２３、時計回路２４、カラースキャナ２５、カラープロッタ２６、操作表示部２７、画像処理部２８、磁気ディスク装置２９、ネットワーク伝送制御部３２、および、赤外線通信部３４は、内部バス３３に接続されており、これらの各要素間でのデータのやりとりは、主としてこの内部バス３３を介して行われている。
【０１１７】
ここで、本実施例において、基本的には、インターネットＮＴに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。また、Ｗｅｂサービス通信については、ＨＴＴＰ（ＨｙｐｅｒＴｅｘｔ  Ｔｒａｎｓｆｅｒ  Ｐｒｏｔｏｃｏｌ）が適用される。
【０１１８】
また、携帯電話端末ＴＭａと印刷装置ＰＴａとの間における赤外線通信は、適宜な通信プロトコル等が適用される。
【０１１９】
図１６は、携帯電話端末ＴＭａのユーザがサーバ装置ＳＣのコンテンツを選択して印刷装置ＰＴａへ印刷要求する処理の一例を示している。
【０１２０】
まず、携帯電話端末ＴＭａのユーザは、Ｗｅｂブラウズを用いて、サーバ装置ＳＣのコンテンツ一覧要求を操作する（処理７０１）。これにより、携帯電話端末ＴＭａは、サーバ装置ＳＣへコンテンツ一覧情報の取得を要求し（処理７０２）、サーバ装置ＳＣよりコンテンツ一覧情報を受信する（処理７０３）。
【０１２１】
次いで、受信したコンテンツ一覧情報を、例えば、図１７に示すような画面に表示して、ユーザに印刷を希望するコンテンツを選択操作させる（処理７０４，７０５、判断７０６のＮＯループ）。
【０１２２】
ユーザが印刷コンテンツを選択した場合で、判断７０６の結果がＹＥＳになると、印刷処理において、ユーザの認証情報が登録されているかどうかを調べる（判断７０７）。判断７０７の結果がＮＯになるときには、画面に認証情報入力要求ガイダンスメッセージを表示して、ユーザが認証情報（例えば、ユーザ名とパスワードなど）を入力終了するまで待つ（処理７０８、判断７０９のＮＯループ）。
【０１２３】
ユーザが認証情報を入力した場合で、判断７０９の結果がＹＥＳになるとき、および、印刷処理においてユーザの認証情報が登録されている場合で、判断７０７の結果がＹＥＳになるときには、サーバ装置ＳＣのＵＲＩであるサーバＵＲＩ、コンテンツのＵＲＩであるコンテンツＵＲＩ、および、認証情報を含む印刷要求情報を作成し（処理７１０）、その作成した印刷要求情報を赤外線通信部１２を介して、印刷装置ＰＴａへ送信する（処理７１１）。
【０１２４】
このとき、印刷装置ＰＴａから適切な応答を受信したかどうかを調べ（判断７１２）、判断７１２の結果がＮＯになるときには、プリンタ無しを表示して（処理７１３）このときの処理を終了する。
【０１２５】
また、判断７１２の結果がＹＥＳになるときには、そのままこのときの処理を終了する。
【０１２６】
図１８は、印刷装置ＰＴａが、赤外線通信部３４を介して外部装置から情報を受信する際に行う処理の一例を示している。この場合、印刷装置ＰＴａは、印刷情報（コンテンツ情報）を自端末で解釈可能なページ記述言語へ変換する処理を、サーバ装置ＳＣへ実行させている。
【０１２７】
赤外線通信部３４を介して印刷要求情報を受信すると（処理８０１）、受信した印刷要求情報に含まれているサーバＵＲＩ、コンテンツＵＲＩ、および、認証情報を保存する（処理８０２）。
【０１２８】
次に、コンテンツＵＲＩ、認証情報、自端末のネットワーク識別情報をあらわすプリンタアドレス、および、自端末で解釈可能なページ記述言語の種類をあらわす解釈可能言語情報からなる印刷要求を編集する（処理８０３）。
【０１２９】
そして、サーバＵＲＩを適用して、対応するサーバ装置ＳＣへ接続し、サーバ装置ＳＣへ印刷要求を送信する（処理８０４）。また、この印刷要求には、処理８０３で編集作成した印刷要求情報を含む。
【０１３０】
次いで、サーバ装置ＳＣより印刷情報を受信したかどうかを調べ（判断８０５）、判断８０５の結果がＹＥＳになるときには、受信したコンテンツデータ（印刷情報）を保存し（処理８０６）、保存した印刷情報の印刷物を記録出力して（処理８０７）、このときの処理を終了する。
【０１３１】
また、サーバ装置ＳＣより印刷情報を受信しなかった場合で、判断８０５の結果がＮＯになるときには、印刷エラーを表示して（処理８０８）、このときの処理をエラー終了する。
【０１３２】
図１９は、この場合のサーバ装置ＳＣの処理の一例を示している。
【０１３３】
印刷要求を受信すると、その印刷要求に含まれるコンテンツＵＲＩ、認証情報、プリンタアドレス、および、解釈可能言語情報を保存する（処理９０１）。
【０１３４】
次いで、保存した認証情報に基づいて、所定の認証動作を行い（処理９０２）、認証の結果がＯＫであったかどうかを調べる（判断９０３）。判断９０３の結果がＮＯになるときには、認証エラーを印刷装置ＰＴａへ通知して（処理９０４）、このときの動作を終了する。
【０１３５】
また、判断９０３の結果がＹＥＳになるときには、コンテンツＵＲＩに対応したコンテンツ情報を読み出し（処理９０５）、その読み出したコンテンツ情報を、解釈可能言語情報に対応したページ記述言語の印刷データへ変換し（処理９０６）、プリンタアドレスを取り出し（処理９０７）、処理９０６で変換して作成した印刷データを、処理９０７で取り出したプリンタアドレスの印刷装置ＰＴａへ送信する（処理９０８）。
【０１３６】
図２０は、印刷装置ＰＴａが、赤外線通信部３４を介して外部装置から情報を受信する際に行う処理の一例を示している。この場合、印刷装置ＰＴａは、印刷情報（コンテンツ情報）を自端末で解釈可能なページ記述言語へ変換する処理を自端末で実行している。
【０１３７】
赤外線通信部３４を介して印刷要求情報を受信すると（処理１００１）、受信した印刷要求情報に含まれているサーバＵＲＩ、コンテンツＵＲＩ、および、認証情報を保存する（処理１００２）。
【０１３８】
次に、コンテンツＵＲＩ、認証情報、および、自端末のネットワーク識別情報をあらわすプリンタアドレスからなる印刷要求を編集する（処理１００３）。
【０１３９】
そして、サーバＵＲＩを適用して、対応するサーバ装置ＳＣへ接続し、サーバ装置ＳＣへ印刷要求を送信する（処理１００４）。また、この印刷要求には、処理１００３で編集作成した印刷要求情報を含む。
【０１４０】
次いで、サーバ装置ＳＣより印刷情報を受信したかどうかを調べ（判断１００５）、判断１００５の結果がＹＥＳになるときには、受信したコンテンツデータを保存し（処理１００６）、保存したコンテンツデータを、自端末で解釈可能なページ記述言語のデータ（印刷データ）へ変換し（処理１００７）、処理１００７で変換して作成した印刷データの印刷物を記録出力して（処理１００８）、このときの処理を終了する。
【０１４１】
また、サーバ装置ＳＣより印刷情報を受信しなかった場合で、判断１００５の結果がＮＯになるときには、印刷エラーを表示して（処理１００８）、このときの処理をエラー終了する。
【０１４２】
図２１は、この場合のサーバ装置ＳＣの処理の一例を示している。
【０１４３】
印刷要求を受信すると、その印刷要求に含まれるコンテンツＵＲＩ、認証情報、および、プリンタアドレスを保存する（処理１１０１）。
【０１４４】
次いで、保存した認証情報に基づいて、所定の認証動作を行い（処理１１０２）、認証の結果がＯＫであったかどうかを調べる（判断１１０３）。判断１１０３の結果がＮＯになるときには、認証エラーを印刷装置ＰＴａへ通知して（処理１１０４）、このときの動作を終了する。
【０１４５】
また、判断１１０３の結果がＹＥＳになるときには、コンテンツＵＲＩに対応したコンテンツ情報を読み出し（処理１１０５）、プリンタアドレスを取り出し（処理１１０６）、処理１１０５で読み出したコンテンツ情報を、処理１１０６で取り出したプリンタアドレスの印刷装置ＰＴａへ送信する（処理１１０７）。
【図面の簡単な説明】
【０１４６】
【図１】本発明の一実施例にかかる印刷システムの一例を示したブロック図。
【図２】携帯電話端末ＴＭの構成の一例を示したブロック図。
【図３】印刷装置ＰＴの構成例を示したブロック図。
【図４】印刷処理に関し、携帯電話端末ＴＭが記憶する情報の一例を示した概略図。
【図５】携帯電話端末ＴＭの処理の一例を示したフローチャート。
【図６】印刷処理の一例を示したフローチャート。
【図７】サーバ装置ＳＣの処理の一例を示したフローチャート。
【図８】印刷装置ＰＴの処理の一例を示したフローチャート。
【図９】携帯電話端末ＴＭが行う印刷処理の他の例を示したフローチャート。
【図１０】サーバ装置ＳＣの処理の他の例を示したフローチャート。
【図１１】本発明の一実施例にかかる印刷システムの他の例を示したブロック図。
【図１２】本発明の一実施例にかかる印刷システムのさらに他の例を示したブロック図。
【図１３】本発明の別な実施例にかかる印刷システムを示したブロック図。
【図１４】携帯電話端末ＴＭａの構成の一例を示したブロック図。
【図１５】印刷装置ＰＴａの構成例を示したブロック図。
【図１６】携帯電話端末ＴＭａの処理の一例を示したフローチャート。
【図１７】コンテンツ選択画面の一例を示した概略図。
【図１８】印刷装置ＰＴａの処理の一例を示したフローチャート。
【図１９】サーバ装置ＳＣの処理の他の例を示したフローチャート。
【図２０】印刷装置ＰＴａの処理の他の例を示したフローチャート。
【図２１】サーバ装置ＳＣの処理のさらに他の例を示したフローチャート。
【符号の説明】
【０１４７】
ＴＭ，ＴＭａ  携帯電話端末
ＰＴ、ＰＴ’，ＰＴａ  印刷装置
ＳＣ  サーバ装置
ＳＰ  プレビュー作成サーバ装置
ＴＴ，ＴＴ’  端末装置
【図１】
2006318423.tif 000003
【図２】
2006318423.tif 000004
【図３】
2006318423.tif 000005
【図４】
2006318423.tif 000006
【図５】
2006318423.tif 000007
【図６】
2006318423.tif 000008
【図７】
2006318423.tif 000009
【図８】
2006318423.tif 000010
【図９】
2006318423.tif 000011
【図１０】
2006318423.tif 000012
【図１１】
2006318423.tif 000013
【図１２】
2006318423.tif 000014
【図１３】
2006318423.tif 000015
【図１４】
2006318423.tif 000016
【図１５】
2006318423.tif 000017
【図１６】
2006318423.tif 000018
【図１７】
2006318423.tif 000019
【図１８】
2006318423.tif 000020
【図１９】
2006318423.tif 000021
【図２０】
2006318423.tif 000022
【図２１】
2006318423.tif 000023